(57)【特許請求の範囲】
【請求項１】
制御部と記憶部とを少なくとも備えたサーバ装置、および、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルを記憶するＢＩＭモデル記憶手段と、前記ＢＩＭモデル内で移動可能なヒトオブジェクトに関するオブジェクト情報を記憶するオブジェクト情報記憶手段と、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成手段と、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、前記オブジェクト情報記憶手段に記憶された前記オブジェクト情報に基づいて、当該ＢＩＭパーツを利用して移動するように設定された前記移動条件に従って前記統合ＢＩＭモデル内に配置された前記ヒトオブジェクトを前記移動経路生成手段により生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析手段と、を備えたことを特徴とするＢＩＭシステム。
【請求項２】
前記端末装置の前記制御部は、前記利用者に入力される前記移動条件および前記オブジェクト情報記憶手段に記憶された前記オブジェクト情報に基づいて、前記統合ＢＩＭモデル内の前記ヒトオブジェクトの移動経路を生成する移動経路生成手段、を更に備え、前記動作解析手段は、前記移動経路生成手段により生成された前記移動経路を更に含む前記画面表示手段により表示される前記レイアウト画面上で、前記統合ＢＩＭモデル内の前記ヒトオブジェクトの密集度の変化に応じて当該レイアウト画面内の前記移動経路の線の表示態様を変化させることにより、当該ヒトオブジェクトの移動をシミュレーションすることを特徴とする請求項１に記載のＢＩＭシステム。
【請求項３】
前記移動条件は、前記ヒトオブジェクトの出発地、目的地、移動速度、数、利用移動経路、および、移動パターンのうち少なくとも１つを含むことを特徴する請求項１または２に記載のＢＩＭシステム。
【請求項４】
制御部と記憶部とを少なくとも備えたサーバ装置、および、制御部と表示部とを少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内で移動可能なヒトオブジェクトに関するオブジェクト情報を記憶するオブジェクト情報記憶手段と、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記オブジェクト情報記憶手段に記憶された前記オブジェクト情報に基づいて、前記統合モデリング手段により作成された前記統合ＢＩＭモデル内で移動させる前記ヒトオブジェクトを設定する動作解析設定手段と、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成手段と、前記動作解析設定手段により設定された前記ヒトオブジェクトを含む前記統合ＢＩＭモデルを前記端末装置へ送信する情報提供手段と、を備え、前記端末装置の前記制御部は、前記情報提供手段により前記サーバ装置から送信された前記統合ＢＩＭモデルを含むレイアウト画面を生成する画面生成手段と、前記画面生成手段により生成された前記レイアウト画面を前記表示部に表示させる画面表示手段と、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、当該ＢＩＭパーツを利用して移動するように設定された前記移動条件に従って前記統合ＢＩＭモデル内に配置された前記ヒトオブジェクトを前記移動経路生成手段により生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析手段と、を備えたことを特徴とするＢＩＭシステム。
【請求項５】
制御部と記憶部と表示部を少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内で移動可能なヒトオブジェクトに関するオブジェクト情報を記憶するオブジェクト情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成手段と、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、前記オブジェクト情報記憶手段に記憶された前記オブジェクト情報に基づいて、当該ＢＩＭパーツを利用して移動するように設定された前記移動条件に従って前記統合ＢＩＭモデル内に配置された前記ヒトオブジェクトを前記移動経路生成手段により生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析手段と、を備えたことを特徴とするＢＩＭシステム。
【請求項６】
制御部と記憶部とを少なくとも備えたサーバ装置、および、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記端末装置の前記記憶部は、前記ＢＩＭモデルを記憶するＢＩＭモデル記憶手段と、前記ＢＩＭモデル内で移動可能なヒトオブジェクトに関するオブジェクト情報を記憶するオブジェクト情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、前記端末装置の前記制御部において実行される、前記統合モデリングステップにて作成された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、前記端末装置の前記制御部において実行される、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成ステップと、前記端末装置の前記制御部において実行される、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、前記オブジェクト情報記憶手段に記憶された前記オブジェクト情報に基づいて、当該ＢＩＭパーツを利用して移動するように設定された前記移動条件に従って前記統合ＢＩＭモデル内に配置された前記ヒトオブジェクトを前記移動経路生成ステップにて生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析ステップと、を含むことを特徴とする方法。
【請求項７】
制御部と記憶部とを少なくとも備えたサーバ装置、および、制御部と表示部とを少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内で移動可能なヒトオブジェクトに関するオブジェクト情報を記憶するオブジェクト情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記サーバ装置の前記制御部において実行される、前記オブジェクト情報記憶手段に記憶された前記オブジェクト情報に基づいて、前記統合モデリングステップにて作成された前記統合ＢＩＭモデル内で移動させる前記ヒトオブジェクトを設定する動作解析設定ステップと、前記サーバ装置の前記制御部において実行される、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成ステップと、前記サーバ装置の前記制御部において実行される、前記動作解析設定ステップにて設定された前記ヒトオブジェクトを含む前記統合ＢＩＭモデルを前記端末装置へ送信する情報提供ステップと、前記端末装置の前記制御部において実行される、前記情報提供ステップにて前記サーバ装置から送信された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、前記端末装置の前記制御部において実行される、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、当該ＢＩＭパーツを利用して移動するように設定された前記移動条件に従って前記統合ＢＩＭモデル内に配置された前記ヒトオブジェクトを前記移動経路生成ステップにて生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析ステップと、を含むことを特徴とする方法。
【請求項８】
制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内で移動可能なヒトオブジェクトに関するオブジェクト情報を記憶するオブジェクト情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成ステップと、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、前記オブジェクト情報記憶手段に記憶された前記オブジェクト情報に基づいて、当該ＢＩＭパーツを利用して移動するように設定された前記移動条件に従って前記統合ＢＩＭモデル内に配置された前記ヒトオブジェクトを前記移動経路生成手段により生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析ステップと、を含むことを特徴とする方法。
【請求項９】
制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、前記ＢＩＭモデル内で移動可能なヒトオブジェクトに関するオブジェクト情報を記憶するオブジェクト情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成ステップと、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、前記オブジェクト情報記憶手段に記憶された前記オブジェクト情報に基づいて、当該ＢＩＭパーツを利用して移動するように設定された前記移動条件に従って前記統合ＢＩＭモデル内に配置された前記ヒトオブジェクトを前記移動経路生成手段により生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析ステップと、を実行させるためのプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機の設備計画を提案する際、建築物に昇降機を組み込んだ状態を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部とを少なくとも備えたサーバ装置、および、制御部と記憶部と表示部とを少なくとも備えた端末装置、を通信可能に接続したＢＩＭシステムである。前記サーバ装置の前記記憶部は、建築物のＢＩＭモデルに組込可能な昇降機のＢＩＭパーツを作成するためのパーツ情報を記憶するパーツ情報記憶手段、を備える。前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備える。前記端末装置の前記記憶部は、前記ＢＩＭモデルを記憶するＢＩＭモデル記憶手段と、前記ＢＩＭモデル内で移動可能なヒトオブジェクトに関するオブジェクト情報を記憶するオブジェクト情報記憶手段と、を備える。前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、利用者に入力される移動条件および前記オブジェクト情報記憶手段に記憶された前記オブジェクト情報に基づいて、前記統合ＢＩＭモデル内の前記ヒトオブジェクトの移動経路を生成する移動経路生成手段と、前記ヒトオブジェクトが前記移動条件に基づいて配置された前記統合ＢＩＭモデルを表示する前記レイアウト画面上で、前記ＢＩＭパーツに含まれる前記パーツ情報が示す当該ＢＩＭパーツの動作パラメータであって、前記昇降機の台数、定員、動作速度、および、動作パターンのうち少なくとも１つを規定するパラメータである動作パラメータに基づいて、エレベータのＢＩＭパーツの扉を開閉し、乗りかごを昇降させる表示制御を行うことで、前記ＢＩＭパーツの動作をシミュレーションしながら、前記オブジェクト情報記憶手段に記憶された前記オブジェクト情報に基づいて、当該ＢＩＭパーツを利用して移動するように設定された前記移動条件に従って前記統合ＢＩＭモデル内に配置された前記ヒトオブジェクトを前記移動経路生成手段により生成された前記移動経路上で移動させる表示制御を行うことで、前記ヒトオブジェクトの移動をシミュレーションして、前記レイアウト画面上で前記昇降機周辺の前記ヒトオブジェクトの密集度を表示する動作解析手段と、を備える。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、第１の実施形態における処理の一例を示すフローチャートである。
【図４】図４は、昇降機のＢＩＭパーツの一例を示す図である。
【図５】図５は、ＢＩＭモデルにＢＩＭパーツを組み込んだ統合ＢＩＭモデルを含むレイアウト画面の一例を示す図である。
【図６】図６は、ヒトオブジェクトを含む統合ＢＩＭモデルのレイアウト画面の一例を示す図である。
【図７】図７は、ヒトオブジェクトおよび移動経路を含む統合ＢＩＭモデルのレイアウト画面の一例を示す図である。
【図８】図８は、昇降機周辺のヒトオブジェクトの動きを示すレイアウト画面の一例を示す図である。
【図９】図９は、昇降機周辺のヒトの密集度を移動経路の表示態様で示すレイアウト画面の一例を示す図である。
【図１０】図１０は、第２の実施形態におけるＢＩＭシステムの構成の一例を示すブロック図である。
【図１１】図１１は、第２の実施形態におけるＢＩＭシステムの処理の一例を示すフローチャートである。
【図１２】図１２は、第３の実施形態におけるＢＩＭシステムの構成の一例を示すブロック図である。
【図１３】図１３は、第３の実施形態におけるＢＩＭシステムの処理の一例を示すフローチャートである。
【発明を実施するための形態】
【０００７】
以下に、実施形態にかかるＢＩＭシステム、サーバ装置、端末装置、方法、および、プログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図２乃至図９を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成し、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、これに限定されない。
【００１６】
より具体的には、本実施形態において、パーツ情報は、後述の制御部１０２の処理によりＢＩＭパーツの動作を解析する際に用いられるＢＩＭパーツの動作パラメータを含む。ここで、動作パラメータは、昇降機の台数、定員、動作速度、動作パターン等を規定するパラメータである。ここで、パーツ情報は、ＢＩＭパーツを構成する各ユニットに関する情報を含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配管・配線等が挙げられる。また、ＢＩＭパーツを構成する各ユニットとしては、昇降機がエスカレータである場合には、トラス、踏段、踏段チェーン、移動手摺、乗降板、欄干、駆動装置、機械室、制御盤、電源設備、各種配管・配線等が挙げられる。なお、ＢＩＭパーツは、典型的なＢＩＭモデルと同様に、このＢＩＭパーツ自体に対象の昇降機に関連するパーツ情報等の属性情報を含んでいる。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００１８】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件にはこの他、希望の価格、納期等を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。ここで、昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツを端末装置１００へ送信する情報提供手段である。
【００２１】
［端末装置１００の構成］
また、図２において、端末装置１００は、サーバ装置２００から送信された昇降機のＢＩＭパーツを、記憶部１０６に記憶された建築物のＢＩＭモデルに組み込んだ統合ＢＩＭモデルを作成し、作成された統合ＢＩＭモデルを含むレイアウト画面を生成し、生成されたレイアウト画面を表示部１１４に表示させる等の機能を有する。また、端末装置１００は、表示されたレイアウト画面上で、記憶部１０６に記憶された、建築物のＢＩＭモデル内で移動可能なヒトオブジェクトに関するオブジェクト情報に基づいてヒトオブジェクトの移動と、ＢＩＭパーツの動作をシミュレーションする等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２２】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、表示部１１４、音声出力部１１６、および、入力部１１８等の制御を行う。
【００２３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００２４】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ、オブジェクト情報データベース１０６ｂ等）を格納してもよい。ここで、記憶部１０６は、各種のファイル等を一時的に記憶するものであってもよい。
【００２５】
また、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数等の構造情報が含まれるが、これに限定されない。なお、ＢＩＭモデルは、このＢＩＭモデル自体に対象の建築物に関連する属性情報を含んでいる。
【００２６】
オブジェクト情報データベース１０６ｂは、建築物のＢＩＭモデル内で移動可能なヒトオブジェクトに関するオブジェクト情報を記憶するオブジェクト情報記憶手段である。オブジェクト情報は、所定条件に従って移動可能なヒトを模した３次元モデルを定義する情報である。オブジェクト情報は、ヒトを模した３次元モデルを構築するための形状データの他、各ヒトオブジェクトについて出発地と目的地と少なくとも含む移動条件を含む。ここで、移動条件は、ヒトオブジェクトの数、経由地、移動手段（例えば、階段利用、昇降機（エレベータ、乗客コンベア（エスカレータまたは動く歩道を含む）利用等）、出発時刻、経由時刻、到着時刻、移動速度、利用移動経路、および、移動パターンのうち少なくとも１つを含んでいてもよい。また、オブジェクト情報は、ＢＩＭモデルデータベース１０６ａに記憶された建築物のＢＩＭモデル内の経路網を規定するネットワークデータとしてＢＩＭモデル内ネットワークデータを更に含む。ＢＩＭモデル内ネットワークデータは、例えば、建築物内の店舗、会社、事務所、およびトイレ等の出入口、エレベータおよびエスカレータの乗降口、階段の出入口等の、通路等を接続する結節点であるノードのノードデータと、ノード間を接続する通路、階段、動く歩道、エスカレータ、および、エレベータ等であるリンクのリンクデータとの組み合わせによって表現されるネットワークデータである。
【００２７】
また、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、統合モデリング部１０２ｂ、画面生成部１０２ｃ、画面表示部１０２ｄ、移動経路生成部１０２ｅ、および、動作解析部１０２ｆを備える。
【００２８】
このうち、作成条件送信部１０２ａは、利用者により入力される作成条件をサーバ装置２００へ送信する作成条件送信手段である。ここで、作成条件は、利用者が所望する昇降機の仕様を示す条件である。上述のように作成条件には希望の価格、納期等を含めてもよい。つまり、作成条件は、建築物のＢＩＭモデルに組込可能な昇降機のＢＩＭパーツを作成するための条件を指定する。また、作成条件は、利用者により入力部１１８を介して入力されたものであってもよいし、予め作成条件が記憶された外部記憶装置（図示せず）から読み込まれたものであってもよい。
【００２９】
また、統合モデリング部１０２ｂは、サーバ装置２００から送信された昇降機のＢＩＭパーツを、ＢＩＭモデルデータベース１０６ａに記憶された建築物のＢＩＭモデルに組み込んだ統合ＢＩＭモデルを作成する統合モデリング手段である。ここで、統合モデリング部１０２ｂは、作成した統合ＢＩＭモデルを記憶部１０６に格納して、統合ＢＩＭモデルデータベース（図示せず）を構築してもよい。
【００３０】
また、画面生成部１０２ｃは、統合モデリング部１０２ｂにより作成された統合ＢＩＭモデルを含むレイアウト画面を生成する画面生成手段である。ここで、画面生成部１０２ｃは、後述の移動経路生成部１０２ｅにより生成された移動経路を更に含むレイアウト画面を生成してもよい。
【００３１】
また、画面表示部１０２ｄは、画面生成部１０２ｃにより生成されたレイアウト画面を表示部１１４に表示させる画面表示手段である。
【００３２】
また、移動経路生成部１０２ｅは、オブジェクト情報データベース１０６ｂに記憶されたオブジェクト情報に基づいて、統合ＢＩＭモデル内のヒトオブジェクトの移動経路を生成する移動経路生成手段である。具体的には、移動経路生成部１０２ｅは、オブジェクト情報に含まれる移動条件およびＢＩＭモデル内ネットワークデータを用いて、各ヒトオブジェクトの出発地と目的地と少なくとも含む移動条件を満たす出発地から目的地までの移動経路を生成する。ここで、移動条件は、ヒトオブジェクトの数、経由地、移動手段（例えば、階段利用、昇降機（エレベータ、乗客コンベア（エスカレータまたは動く歩道を含む）利用等）、出発時刻、経由時刻、到着時刻、移動速度、利用移動経路、および、移動パターンのうち少なくとも１つを含んでいてもよい。移動条件は、利用者により入力部１１８を介して入力されたものであってもよいし、予め移動条件が記憶された外部記憶装置（図示せず）から読み込まれたものであってもよい。
【００３３】
また、動作解析部１０２ｆは、画面表示部１０２ｄにより表示されたレイアウト画面上で、オブジェクト情報データベース１０６ｂに記憶されたオブジェクト情報に基づいてヒトオブジェクトの移動と、昇降機のＢＩＭパーツの動作をシミュレーションする動作解析手段である。
【００３４】
本実施形態において、動作解析部１０２ｆは、画面表示部１０２ｄにより表示されたレイアウト画面上で、昇降機のＢＩＭパーツに含まれるパーツ情報が示すＢＩＭパーツの動作パラメータに基づいて、昇降機のＢＩＭパーツの動作をシミュレーションする。ここで、動作パラメータは、昇降機の台数、定員、動作速度、動作パターン等を規定するパラメータである。
【００３５】
また、本実施形態において、動作解析部１０２ｆは、画面表示部１０２ｄにより表示されたレイアウト画面上で、利用者に入力される移動条件に基づいて、移動経路生成部１０２ｅにより生成された移動経路上でヒトオブジェクトを移動させることにより、当該ヒトオブジェクトの移動をシミュレーションする。また、動作解析部１０２ｆは、移動経路生成部１０２ｅにより生成された移動経路を更に含む画面表示部１０２ｄにより表示されるレイアウト画面上で、統合ＢＩＭモデル内のヒトオブジェクトの密集度の変化に応じて当該レイアウト画面内の移動経路の線の表示態様を変化させることにより、当該ヒトオブジェクトの移動をシミュレーションする。ここで、動作解析部１０２ｆは、利用者に入力される移動条件に応じて、ヒトオブジェクトの出発地、目的地、移動速度、数、利用移動経路、および、移動パターンのうち少なくとも１つを変更してもよい。
【００３６】
以上で、第１の実施形態におけるＢＩＭシステムの構成の一例の説明を終える。
【００３７】
［第１の実施形態におけるＢＩＭシステムの処理］
次に、このように構成された第１の実施形態におけるＢＩＭシステムの処理の一例について、以下に図３乃至図９を参照して詳細に説明する。図３は、第１の実施形態におけるＢＩＭシステムの処理の一例を示すフローチャートである。
【００３８】
図３に示すように、端末装置１００の作成条件送信部１０２ａは、利用者により入力される作成条件をサーバ装置２００へ送信する（ステップＳＡ−１）。
【００３９】
そして、サーバ装置２００の作成条件受信部２０２ａは、ステップＳＡ−１にて作成条件送信部１０２ａの処理により送信される作成条件を受信する（ステップＳＡ−２）。
【００４０】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。例えば、昇降機モデリング部２０２ｂは、図４に示すようなエレベータのＢＩＭパーツを作成する。ここで、図４は、昇降機のＢＩＭパーツの一例を示す図である。図４では、エレベータのＢＩＭパーツが示されている。図４の左側は、昇降路、乗りかご、ガイドレール等のユニットから構成されるＢＩＭパーツであり、図４の右側は、乗り場ホーム関連品の一例である乗降口のドアのユニット等から構成されるＢＩＭパーツである。ここで、ステップＳＡ−３において、昇降機モデリング部２０２ｂは、作成条件を満たす複数の昇降機のＢＩＭパーツを作成してもよい。
【００４１】
そして、サーバ装置２００の情報提供部２０２ｃは、ステップＳＡ−３にて昇降機モデリング部２０２ｂの処理により作成された昇降機のＢＩＭパーツを端末装置１００へ送信する（ステップＳＡ−４）。
【００４２】
そして、端末装置１００の制御部１０２は、ステップＳＡ−４にて情報提供部２０２ｃの処理により送信された昇降機のＢＩＭパーツを受信する（ステップＳＡ−５）。
【００４３】
そして、端末装置１００の統合モデリング部１０２ｂは、ステップＳＡ−５にて制御部１０２の処理により受信された単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−６）。例えば、統合モデリング部１０２ｂは、図５に示すようなエレベータのＢＩＭパーツを建築物のＢＩＭモデルの組み込んだ統合ＢＩＭモデルを作成する。
【００４４】
ここで、図５は、ＢＩＭモデルにＢＩＭパーツを組み込んだ統合ＢＩＭモデルを含むレイアウト画面の一例を示す図である。このレイアウト画面は、後述のステップＳＡ−７の処理により作成される画面である。図５では、建築物の完成時におけるエレベータの設置状態を示す統合ＢＩＭモデルの一部が示されている。ここで、ステップＳＡ−６において、統合モデリング部１０２ｂは、複数の昇降機のＢＩＭパーツから、作成条件に合致する順位にて建築物のＢＩＭモデルに組み込んだ複数の統合ＢＩＭモデルを作成してもよい。
【００４５】
図３に戻り、端末装置１００の画面生成部１０２ｃは、ステップＳＡ−６にて統合モデリング部１０２ｂの処理により作成された統合ＢＩＭモデルを含むレイアウト画面を生成する（ステップＳＡ−７）。
【００４６】
そして、端末装置１００の画面表示部１０２ｄは、ステップＳＡ−７にて画面生成部１０２ｃの処理により生成されたレイアウト画面を表示部１１４に表示させる（ステップＳＡ−８）。例えば、画面表示部１０２ｄは、上述した図５に示すような統合ＢＩＭモデルを含むレイアウト画面を表示部１１４に表示させる。ここで、ステップＳＡ−８において、画面表示部１０２ｄは、この統合ＢＩＭモデルに組み込まれた昇降機のＢＩＭパーツのパーツ情報をレイアウト画面に含めて表示してもよい。
【００４７】
そして、端末装置１００の制御部１０２は、レイアウト画面上で昇降機の動作解析および／または建築物内で昇降機を利用して移動するヒトの移動解析を行うための動作解析モードを起動する所定の操作かあった否かを判定する（ステップＳＡ−９）。例えば、所定の操作は、端末装置１００の入力部１１８の特定キー等に対する操作である。
【００４８】
そして、端末装置１００の制御部１０２は、ステップＳＡ−６にて動作解析モードを起動する所定の操作があったと判定した場合（ステップＳＡ−９：Ｙｅｓ）、ステップＳＡ−１０〜ＳＡ−１１の処理および／またはステップＳＡ−１２〜ステップＳＡ−１５の処理へ進む。一方、制御部１０２は、ステップＳＡ−９にて動作解析モードを起動する所定の操作がなかったと判定した場合（ステップＳＡ−９：Ｎｏ）、その後、本処理を終了する。
【００４９】
本実施形態において、ステップＳＡ−１０〜ＳＡ−１１の処理は、昇降機の動作解析を行うためにＢＩＭパーツを動作させる処理である。また、ステップＳＡ−１２〜ＳＡ−１５の処理は、ヒトの移動解析を行うためにヒトオブジェクトを移動させる処理である。図３に示す例では、これらの処理を端末装置１００が並列処理により実行する例を説明するが、これに限定されない。例えば、利用者は、動作解析モードの詳細条件（例えば、昇降機の動作解析を実行する第１解析モード、ヒトの移動解析を実行する第２解析モード、または、昇降機の動作解析とヒトの移動解析の両方を実行する第３解析モード等）を設定することで、第１解析モード〜第３解析モードのうちいずれか１つを選択することができる。つまり、図３の例では、利用者により第３解析モードが選択された場合を想定している。以下、まず、昇降機の動作解析を行うためにＢＩＭパーツを動作させるステップＳＡ−１０〜ＳＡ−１１の処理を説明し、次に、ヒトの移動解析を行うためにヒトオブジェクトを移動させるステップＳＡ−１２〜ＳＡ−１５の処理を説明する。
【００５０】
ここで、端末装置１００の制御部１０２は、ステップＳＡ−９にて動作解析モードを起動する所定の操作があったと判定した場合（ステップＳＡ−９：Ｙｅｓ）、動作パラメータを設定する（ステップＳＡ−１０）。ここで、動作パラメータは、昇降機の台数、定員、動作速度、および、動作パターンのうち少なくとも１つを規定するパラメータである。ステップＳＡ−１０において、制御部１０２は、動作解析モード起動後に利用者により入力される動作パラメータを設定してもよいし、動作解析モード起動する前に予め登録された動作パラメータを設定してもよい。
【００５１】
そして、端末装置１００の動作解析部１０２ｆは、ステップＳＡ−１０にて制御部１０２の処理により設定された、昇降機のＢＩＭパーツに含まれるパーツ情報が示すＢＩＭパーツの動作パラメータに基づいて、昇降機のＢＩＭパーツの動作をシミュレーションする（ステップＳＡ−１１）。例えば、動作解析部１０２ｆは、上述した図５に示すようなレイアウト画面内のエレベータのＢＩＭパーツを、動作パラメータに従って統合ＢＩＭモデル内で動作させる。一例として、動作解析部１０２ｆは、レイアウト画面上の統合ＢＩＭモデルにおいて、エレベータの扉を開閉したり、乗りかごを昇降させる等の表示を行うことで、ＢＩＭパーツの動作をシミュレーションする。
【００５２】
また、端末装置１００の制御部１０２は、ステップＳＡ−９にて動作解析モードを起動する所定の操作があったと判定した場合（ステップＳＡ−９：Ｙｅｓ）、移動条件を設定する（ステップＳＡ−１２）。ここで、移動条件は、ヒトオブジェクトの出発地、目的地、移動速度、数、利用移動経路、および、移動パターンのうち少なくとも１つを含む。ステップＳＡ−１２において、制御部１０２は、動作解析モード起動後に利用者により入力される移動条件を設定してもよいし、動作解析モード起動する前に予め登録された移動条件を設定してもよい。ここで、ステップＳＡ−１２において、画面表示部１０２ｄは、移動条件を設定後、図６に示すような、ヒトオブジェクトを含む統合ＢＩＭモデルのレイアウト画面を表示部１１４に表示させてもよい。
【００５３】
ここで、図６は、ヒトオブジェクトを含む統合ＢＩＭモデルのレイアウト画面の一例を示す図である。このレイアウト画面は、上述の図５に示す統合モデルの全体を示している。具体的には、図６に示すレイアウト画面内には、４階建ての建築物のＢＩＭモデルに昇降機のＢＩＭパーツが組み込まれた状態の統合ＢＩＭモデルの全体が表示されている。図６において、各フロアには、設定された移動条件にしたがってヒトオブジェクトが配置されている。
【００５４】
図３に戻り、端末装置１００の移動経路生成部１０２ｅは、ステップＳＡ−１２にて制御部１０２の処理により設定された移動条件、および、オブジェクト情報データベース１０６ｂに記憶されたオブジェクト情報に基づいて、統合ＢＩＭモデル内のヒトオブジェクトの移動経路を生成する（ステップＳＡ−１３）。ここで、ステップＳＡ−１３において、画面表示部１０２ｄは、移動経路を生成後、図７に示すようなヒトオブジェクトおよび移動経路を含む統合ＢＩＭモデルのレイアウト画面を表示部１１４に表示させてもよい。
【００５５】
ここで、図７は、ヒトオブジェクトおよび移動経路を含む統合ＢＩＭモデルのレイアウト画面の一例を示す図である。なお、図７に示す例では、個々のヒトオブジェクトに移動経路を表示する移動経路表示モードが設定されているものとする。このレイアウト画面は、上述の図６に示す統合モデルの１階部分に対応するフロアの一部を示している。具体的には、図７に示すレイアウト画面内には、画面左上にエレベータのＢＩＭパーツが表示され、画面左下および画面右下には、エスカレータのＢＩＭパーツが表示されている。図７において、ヒトオブジェクトにはこれらのＢＩＭパーツを利用して移動するよう移動条件が設定されており、個々のヒトオブジェクトには移動経路が表示されている。
【００５６】
再び図３に戻り、端末装置１００の動作解析部１０２ｆは、ステップＳＡ−１２にて制御部１０２の処理により設定された移動条件に基づいて、ステップＳＡ−１３にて移動経路生成部１０２ｅの処理により生成された移動経路上でヒトオブジェクトを移動させることにより、当該ヒトオブジェクトの移動をシミュレーションする（ステップＳＡ−１４）。例えば、動作解析部１０２ｆは、図８に示すように、設定された移動条件に基づいて移動経路上でヒトオブジェクトを移動させる。
【００５７】
ここで、図８は、昇降機周辺のヒトオブジェクトの動きを示すレイアウト画面の一例を示す図である。なお、図８に示す例では、個々のヒトオブジェクトに移動経路を表示しない移動経路非表示モードが設定されているものとする。このレイアウト画面は、上述の図７の画面左上に示すエスカレータ周辺のヒトオブジェクトの動きを示している。具体的には、図８に示すレイアウト画面内には、画面左側に１個のヒトオブジェクト、画面中央の通路に１個のヒトオブジェクト、画面右側のエレベータ周辺に３個のヒトオブジェクトが表示されている。つまり、図８に示す状況は、画面右側のエレベータ周辺のヒトオブジェクトの密集度が、画面左側と比較して高いことを示している。
【００５８】
再び図３に戻り、端末装置１００の動作解析部１０２ｆは、ステップＳＡ−１４にてヒトオブジェクトを移動させた後、統合ＢＩＭモデル内のヒトオブジェクトの密集度の変化に応じて、図９に示すように、レイアウト画面内の移動経路の線の表示態様を変化させることにより、ヒトオブジェクトの移動をシミュレーションする（ステップＳＡ−１５）。
【００５９】
ここで、図９は、昇降機周辺のヒトの密集度を移動経路の表示態様で示すレイアウト画面の一例を示す図である。なお、図９に示す例では、ヒトオブジェクトを表示せず移動経路を表示するヒトオブジェクト非表示モードが設定されているものとする。図９に示すレイアウト画面は、図８に示す状況に対応するヒトオブジェクトの密集度を、移動経路の線の太さで表している。図９において、移動経路（１）は、ヒトオブジェクトの密集度が低いため、移動経路（１）の線が細く表示されており、移動経路（２）は、ヒトオブジェクトの密集度が高いため、移動経路（２）の線が太く表示されている。移動経路の線の表示態様の変化は、線の太さに限定されず、線の色（例えば、赤、青、黒等）、線の種類（例えば、二重線、実線、点線等）による変化であってもよい。なお、本実施形態において、ステップＳＡ−１５の処理は、ステップＳＡ−１４の処理によりヒトオブジェクトの密集度に変化が生じると、その都度実行されてもよいし、所定時間ごとに実行されてもよい。
【００６０】
このように、上述のステップＳＡ−１０〜ＳＡ−１５において、画面表示部１０２ｄの処理により表示されたレイアウト画面上で、オブジェクト情報データベース１０６ｂに記憶されたオブジェクト情報に基づいてヒトオブジェクトの移動と、ＢＩＭパーツの動作をシミュレーションする。
【００６１】
以上述べたように、本実施形態によれば、レイアウト画面上でヒトオブジェクトの移動と昇降機のＢＩＭパーツの動作をシミュレーションするので、利用者は、設計した昇降機を設置する建築物においてヒトの動きを視覚的に分かりやすく表示することができる。これにより、本実施形態によれば、建築物内で移動する人の流れや交通量を視覚的に分かりやすく表現することができるので、利用者は、設計した建築物に設置する昇降機の最適な台数、定員、速度等を視覚的に確認することができ、その結果、設計する昇降機の適切な条件を判断することができる。例えば、統合ＢＩＭモデル内でヒトオブジェクトがエレベータの出入口に滞留する場合、利用者は、エレベータの台数、定員、速度等の条件が不足していると判断できる。一方、統合ＢＩＭモデル内でＢＩＭパーツが動作しない時間が多く見られる場合、利用者は、エレベータの利用者数に対してエレベータの台数、定員、速度等の条件が過剰に設定されていると判断できる。このように、本実施形態によれば、利用者は、設定した建築物に設置する昇降機のスペックの過不足を分かりやすく視覚的に判断することができる。
【００６２】
また、本実施形態によれば、ヒトオブジェクトの代わりに移動経路の表示態様を変化させることで、線の太さ等で建築物内のヒトの密集度を表現することができる。例えば、統合ＢＩＭモデル内でエレベータの出入口付近の移動経路の線が太く表示されている場合、利用者は、エレベータの台数、定員、速度の条件がエレベータの利用者数と比較して不足していると判断できる。一方、統合ＢＩＭモデル内でエレベータの出入口付近の移動経路の線が細く表示されている場合、利用者は、エレベータの利用者数に対してエレベータの台数、定員、速度等の条件が過剰に設定されていると判断できる。このように、本実施形態によれば、統合ＢＩＭモデル内にヒトオブジェクトが多数存在する場合等であっても、ヒトオブジェクトの密集度を移動経路の表示態様の変化に反映させることができるので、利用者は、設定した建築物に設置する昇降機のスペックの過不足をより分かりやすく視覚的に判断することができる。
【００６３】
なお、本実施形態において、制御部１０２がステップＳＡ−１４において図８に示すレイアウト画面を表示した後、ステップＳＡ−１５において図９に示すヒトオブジェクトを含むレイアウト画面を表示する例を説明したが、これに限定されない。例えば、制御部１０２は、図８に示すヒトオブジェクトを含むレイアウト画面を表示せずに、バックグラウンドでステップＳＡ−１４の処理を行い、ステップＳＡ−１５において図９に示す表示態様を変化させた状態の移動経路を含むレイアウト画面を表示してもよい。この他、制御部１０２は、図８と図９に示すレイアウト画面を合成させたヒトオブジェクトと表示態様を変化させた状態の移動経路の両方を含むレイアウト画面を表示してもよい。
【００６４】
以上で、第１の実施形態におけるＢＩＭシステムの処理の一例の説明を終える。
【００６５】
［第２の実施形態］
続いて、第２の実施形態について、図１０および図１１を参照して以下に説明する。ここで、図１０は、第２の実施形態におけるＢＩＭシステムの構成の一例を示すブロック図であり、該構成のうち本実施形態に関係する部分を概念的に示している。
【００６６】
なお、第２の実施形態においては、サーバ装置２００側でヒトオブジェクトを設定した統合ＢＩＭモデルを作成し、当該統合ＢＩＭモデルを端末装置１００へ送信している。このように、第２の実施形態は、サーバ装置２００にてサーバ主導で処理を行う点が、その他の実施形態と異なる。
【００６７】
［第２の実施形態におけるＢＩＭシステムの構成］
まず、第２の実施形態におけるＢＩＭシステムの構成の一例について、図１０を参照して以下に説明する。
【００６８】
図１０に示すように、第２の実施形態のサーバ装置２００は、出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００６９】
図１０において、サーバ装置２００は、端末装置１００から送信される作成条件に対応する昇降機のＢＩＭパーツを、記憶部２０６に記憶されたパーツ情報を用いて作成し、作成された昇降機のＢＩＭパーツを、記憶部２０６に記憶された建築物のＢＩＭモデルに組み込んだ統合ＢＩＭモデルを作成し、記憶部２０６に記憶された、建築物のＢＩＭモデル内で移動可能なヒトオブジェクトに関するオブジェクト情報に基づいて、作成された統合ＢＩＭモデル内で移動させるヒトオブジェクトを設定し、設定された統合ＢＩＭモデルを端末装置１００へ送信することにより、端末装置１００において、当該統合ＢＩＭモデルを含むレイアウト画面を表示部１１４に表示させ、かつ、レイアウト画面上でヒトオブジェクトの移動とＢＩＭパーツの動作をシミュレーションさせる等の機能を有する。
【００７０】
なお、サーバ装置２００における通信制御インターフェース部２０４および記憶部２０６（パーツ情報データベース２０６ａ、ＢＩＭモデルデータベース２０６ｂ、および、オブジェクト情報データベース２０６ｃ等）の機能、また、端末装置１００における表示部１１４、音声出力部１１６、および、入力部１１８の機能は、第１の実施形態と同様であるため説明を省略する。
【００７１】
また、図１０において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、情報提供部２０２ｃ、統合モデリング部２０２ｄ、動作解析設定部２０２ｅ、および、移動経路生成部２０２ｆを備える。なお、作成条件受信部２０２ａおよび昇降機モデリング部２０２ｂの機能は、第１の実施形態と同様であるため説明を省略する。以下、説明を簡単にするため、統合モデリング部２０２ｄ〜移動経路生成部２０２ｆを先に説明し、情報提供部２０２ｃを最後に説明する。
【００７２】
このうち、統合モデリング部２０２ｄは、昇降機モデリング部２０２ｂにより作成された昇降機のＢＩＭパーツを、ＢＩＭモデルデータベース２０６ｂに記憶された建築物のＢＩＭモデルに組み込んだ統合ＢＩＭモデルを作成する統合モデリング手段である。ここで、統合モデリング部２０２ｄは、作成した統合ＢＩＭモデルを記憶部２０６に格納して、統合ＢＩＭモデルデータベース（図示せず）を構築してもよい。
【００７３】
また、動作解析設定部２０２ｅは、端末装置１００から送信される動作解析条件に基づいて、昇降機のＢＩＭパーツの動作パラメータおよび／またはヒトオブジェクトの移動条件を設定する動作解析設定手段である。ここで、動作解析条件は、動作パラメータおよび／または移動条件を指定する条件である。動作解析条件は、利用者により端末装置１００において入力部１１８を介して入力されたものであってもよいし、予め作成条件が記憶された外部記憶装置（図示せず）から読み込まれたものであってもよい。本実施形態において、動作解析設定部２０２ｅは、統合モデリング部２０２ｄにより作成された統合モデル内のＢＩＭパーツに対して動作パラメータを設定する。また、動作解析設定部２０２ｅは、統合モデリング部２０２ｄにより作成された統合モデル内に、移動条件に従って移動するヒトオブジェクトを設定する。
【００７４】
また、移動経路生成部２０２ｆは、オブジェクト情報データベース２０６ｃに記憶されたオブジェクト情報に基づいて、統合ＢＩＭモデル内のヒトオブジェクトの移動経路を生成する移動経路生成手段である。具体的には、移動経路生成部２０２ｆは、オブジェクト情報に含まれる移動条件およびＢＩＭモデル内ネットワークデータを用いて、端末装置１００から入力された各ヒトオブジェクトの出発地と目的地と少なくとも含む移動条件、を満たす出発地から目的地までの移動経路を生成する。ここで、移動条件は、ヒトオブジェクトの数、経由地、移動手段（例えば、階段利用、昇降機（エレベータ、乗客コンベア（エスカレータまたは動く歩道を含む）利用等）、出発時刻、経由時刻、到着時刻、移動速度、利用移動経路、および、移動パターンのうち少なくとも１つを含んでいてもよい。また、移動条件は、利用者により入力部１１８を介して入力されたものであってもよいし、予め移動条件が記憶された外部記憶装置（図示せず）から読み込まれたものであってもよい。
【００７５】
また、情報提供部２０２ｃは、動作解析設定部２０２ｅにより設定された統合ＢＩＭモデルを端末装置１００へ送信する情報提供手段である。ここで、情報提供部２０２ｃは、移動経路生成部２０２ｆにより作成された移動経路を、統合ＢＩＭモデルとともに送信する。ここで、統合ＢＩＭモデルはヒトオブジェクトを含む。
【００７６】
なお、図１０において、端末装置１００の制御部１０２は、図示しないが第１の実施形態と同様に、画面生成手段、画面表示手段、動作解析手段を備えている。第２の実施形態では、端末装置１００が備える画面生成手段がサーバ装置２００から受信した統合ＢＩＭモデルを含むレイアウト画面を生成する点を除き、各手段の機能は第１の実施形態と同様であるため説明を省略する。
【００７７】
以上で、第２の実施形態におけるＢＩＭシステムの構成の一例の説明を終える。
【００７８】
［第２の実施形態におけるＢＩＭシステムの処理］
次に、このように構成された第２の実施形態におけるＢＩＭシステムの処理の一例について、以下に図１１を参照して詳細に説明する。図１１は、第２の実施形態におけるＢＩＭシステムの処理の一例を示すフローチャートである。
【００７９】
図１１に示すように、まず、端末装置１００の制御部１０２は、利用者により入力される作成条件をサーバ装置２００へ送信する（ステップＳＢ−１）。
【００８０】
そして、サーバ装置２００の作成条件受信部２０２ａは、ステップＳＢ−１にて制御部１０２の処理により送信される作成条件を受信する（ステップＳＢ−２）。
【００８１】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。例えば、昇降機モデリング部２０２ｂは、上述の図４に示すようなエレベータのＢＩＭパーツを作成する。ここで、ステップＳＢ−３において、昇降機モデリング部２０２ｂは、作成条件を満たす複数の昇降機のＢＩＭパーツを作成してもよい。
【００８２】
そして、サーバ装置２００の統合モデリング部２０２ｄは、ステップＳＢ−３にて昇降機モデリング部２０２ｂの処理により作成された昇降機のＢＩＭパーツを、ＢＩＭモデルデータベース２０６ｂに記憶された建築物のＢＩＭモデルに組み込んだ統合ＢＩＭモデルを作成する（ステップＳＢ−４）。例えば、統合モデリング部２０２ｄは、上述の図５に示すようなエレベータのＢＩＭパーツを建築物のＢＩＭモデルの組み込んだ統合ＢＩＭモデルを作成する。ここで、ステップＳＢ−４において、統合モデリング部２０２ｄは、複数の昇降機のＢＩＭパーツから、作成条件に合致する順位にて建築物のＢＩＭモデルに組み込んだ複数の統合ＢＩＭモデルを作成してもよい。その後、ステップＳＢ−５の処理および／またはステップＳＢ−６〜ステップＳＢ−７の処理へ進む。
【００８３】
本実施形態において、ステップＳＢ−５の処理は、端末装置１００において昇降機の動作解析を行うためにＢＩＭパーツの動作パラメータを設定する処理である。また、ステップＳＢ−６〜ＳＢ−７の処理は、ヒトの移動解析を行うためにヒトオブジェクトに移動条件を設定し、ヒトオブジェクトの移動経路を生成する処理である。図１１に示す例では、これらの処理をサーバ装置２００が並列処理により実行する例を説明するが、これに限定されない。例えば、利用者は、予めサーバ装置２００へ送信する動作解析条件の詳細条件（例えば、昇降機の動作解析を実行する第１解析モード、ヒトの移動解析を実行する第２解析モード、または、昇降機の動作解析とヒトの移動解析の両方を実行する第３解析モード等）を設定することで、第１解析モード〜第３解析モードのうちいずれか１つを選択することができる。つまり、図１１の例では、利用者により第３解析モードが選択された場合を想定している。
【００８４】
ここで、ステップＳＢ−４の処理の後、サーバ装置２００の動作解析設定部２０２ｅは、端末装置１００から送信される動作解析条件に基づいて動作パラメータを設定する（ステップＳＢ−５）。ここで、動作パラメータは、昇降機の台数、定員、動作速度、および、動作パターンのうち少なくとも１つを規定するパラメータである。つまり、動作解析設定部２０２ｅは、ステップＳＢ−４にて統合モデリング部２０２ｄの処理により作成された統合モデル内のＢＩＭパーツに対して動作パラメータを設定する。その後、ステップＳＢ−８の処理へ進む。
【００８５】
また、ステップＳＢ−４の処理の後、サーバ装置２００の動作解析設定部２０２ｅは、端末装置１００から送信される動作解析条件に基づいて移動条件を設定する（ステップＳＢ−６）。ここで、移動条件は、ヒトオブジェクトの出発地、目的地、移動速度、数、利用移動経路、および、移動パターンのうち少なくとも１つを含む。つまり、動作解析設定部２０２ｅは、ステップＳＢ−４にて統合モデリング部２０２ｄの処理により作成された統合モデル内に、移動条件に従って移動するヒトオブジェクトを設定する。
【００８６】
そして、サーバ装置２００の移動経路生成部２０２ｆは、ステップＳＢ−６にて動作解析設定部２０２ｅの処理により設定された移動条件、および、オブジェクト情報データベース２０６ｃに記憶されたオブジェクト情報に基づいて、統合ＢＩＭモデル内のヒトオブジェクトの移動経路を生成する（ステップＳＢ−７）。その後、ステップＳＢ−８の処理へ進む。
【００８７】
そして、サーバ装置２００の情報提供部２０２ｃは、ステップＳＢ−５および／またはステップＳＢ−６にて動作解析用設定部２０２ｅの処理により設定された統合ＢＩＭモデルを端末装置１００へ送信する（ステップＳＢ−８）。ここで、ステップＳＢ−８において、情報提供部２０２ｃは、ステップＳＢ−７にて移動経路生成部２０２ｆの処理により作成された移動経路を統合ＢＩＭモデルとともに送信する。
【００８８】
そして、端末装置１００の制御部１０２は、ステップＳＢ−８にて情報提供部２０２ｃの処理によりサーバ装置２００から送信された統合ＢＩＭモデルを受信する（ステップＳＢ−９）。ここで、ステップＳＢ−９において、制御部１０２は、ステップＳＢ−８にて情報提供部２０２ｃの処理によりサーバ装置２００から送信された移動経路を受信する。
【００８９】
そして、端末装置１００の制御部１０２は、ステップＳＢ−９にて制御部１０２の処理により受信された統合ＢＩＭモデルを含むレイアウト画面を生成する（ステップＳＢ−１０）。
【００９０】
そして、端末装置１００の制御部１０２は、ステップＳＢ−１０にて制御部１０２の処理により生成されたレイアウト画面を表示部１１４に表示させる（ステップＳＢ−１１）。例えば、制御部１０２は、上述した図５に示すような統合ＢＩＭモデルを含むレイアウト画面を表示部１１４に表示させる。ここで、ステップＳＢ−１１において、制御部１０２は、この統合ＢＩＭモデルに組み込まれた昇降機のＢＩＭパーツのパーツ情報をレイアウト画面に含めて表示してもよい。
【００９１】
そして、端末装置１００の制御部１０２は、レイアウト画面上で昇降機の動作解析および／または建築物内で昇降機を利用して移動するヒトの移動解析を行うための動作解析モードを起動する所定の操作かあった否かを判定する（ステップＳＢ−１２）。例えば、所定の操作は、端末装置１００の入力部１１８の特定キー等に対する操作である。
【００９２】
そして、端末装置１００の制御部１０２は、ステップＳＢ−１２にて動作解析モードを起動する所定の操作があったと判定した場合（ステップＳＢ−１２：Ｙｅｓ）、ステップＳＢ−１３の処理および／またはステップＳＢ−１４〜ステップＳＢ−１５の処理へ進む。一方、制御部１０２は、ステップＳＢ−１２にて動作解析モードを起動する所定の操作がなかったと判定した場合（ステップＳＢ−１２：Ｎｏ）、その後、本処理を終了する。
【００９３】
ここで、端末装置１００の制御部１０２は、ステップＳＢ−１２にて動作解析モードを起動する所定の操作があったと判定した場合（ステップＳＢ−１２：Ｙｅｓ）、ステップＳＢ−９にて制御部１０２に処理により受信された統合モデル内の昇降機のＢＩＭパーツに含まれるパーツ情報が示すＢＩＭパーツの動作パラメータに基づいて、昇降機のＢＩＭパーツの動作をシミュレーションする（ステップＳＢ−１３）。例えば、制御部１０２は、上述した図５に示すようなレイアウト画面内のエレベータのＢＩＭパーツを、動作パラメータに従って統合ＢＩＭモデル内で動作させる。
【００９４】
また、端末装置１００の制御部１０２は、ステップＳＢ−１２にて動作解析モードを起動する所定の操作があったと判定した場合（ステップＳＢ−１２：Ｙｅｓ）、ステップＳＢ−９にて制御部１０２に処理により受信された統合モデル内のヒトオブジェクトに設定された移動条件に基づいて、移動経路上でヒトオブジェクトを移動させることにより、当該ヒトオブジェクトの移動をシミュレーションする（ステップＳＢ−１４）。例えば、動作解析部１０２ｆは、上述の図６〜図８に示すように、設定された移動条件に基づいて移動経路上でヒトオブジェクトを移動させる。
【００９５】
そして、端末装置１００の制御部１０２は、ステップＳＢ−１４にてヒトオブジェクトを移動させた後、統合ＢＩＭモデル内のヒトオブジェクトの密集度の変化に応じて、上述の図９に示すように、レイアウト画面内の移動経路の線の表示態様を変化させることにより、ヒトオブジェクトの移動をシミュレーションする（ステップＳＢ−１５）。なお、本実施形態において、ステップＳＢ−１５の処理は、ステップＳＢ−１４の処理によりヒトオブジェクトの密集度に変化が生じると、その都度実行されてもよいし、所定時間ごとに実行されてもよい。
【００９６】
このように、上述のステップＳＢ−１３〜ＳＢ−１５において、制御部１０２の処理により表示されたレイアウト画面上で、ヒトオブジェクトの移動とＢＩＭパーツの動作をシミュレーションする。
【００９７】
以上で、第２の実施形態におけるＢＩＭシステムの処理の一例の説明を終える。
【００９８】
［第３の実施形態］
続いて、第３の実施形態について、図１２および図１３を参照して以下に説明する。ここで、図１２は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【００９９】
なお、第３の実施形態においては、全ての機能をＢＩＭ装置４００に集約し、当該ＢＩＭ装置４００は、利用者により入力される作成条件に対応するＢＩＭパーツを記憶部４０６に記憶されたパーツ情報を用いて作成し、作成されたＢＩＭパーツを記憶部４０６に記憶されたＢＩＭモデルに組み込んだ統合ＢＩＭモデルを作成し、作成された統合ＢＩＭモデルを含むレイアウト画面を生成し、生成されたレイアウト画面を表示部４１４に表示させる等の機能を有する。また、ＢＩＭ装置４００は、表示されたレイアウト画面上で、記憶部４０６に記憶された、建築物のＢＩＭモデル内で移動可能なヒトオブジェクトに関するオブジェクト情報に基づいてヒトオブジェクトの移動と、ＢＩＭパーツの動作をシミュレーションする等の機能を有する。このように、第３の実施形態は、ＢＩＭ装置４００がスタンドアロン型に構成され単独で処理を行う点がその他の実施形態と異なる。
【０１００】
［第３の実施形態におけるＢＩＭシステムの構成］
まず、第３の実施形態におけるＢＩＭシステムの構成の一例について、図１２を参照して以下に説明する。
【０１０１】
図１２に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１０２】
図１２において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ、および、オブジェクト情報データベース４０６ｃ等）についても、サーバ装置２００ではなくＢＩＭ装置４００に備えられている点を除き、各機能が第１の実施形態と同様であるため説明を省略する。
【０１０３】
また、制御部４０２の各部については、本実施形態のＢＩＭ装置４００がスタンドアロン型であり、制御部４０２が各送信部を備えていない点を除き、各機能は第１の実施形態と基本的に同様である。
【０１０４】
また、図１２において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面生成部４０２ｄ、画面表示部４０２ｅ、移動経路生成部４０２ｆ、および、動作解析部４０２ｇを備える。
【０１０５】
このうち、作成条件設定部４０２ａは、利用者により入力される作成条件を設定する作成条件設定手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。また、作成条件は、利用者により入力部４１８を介して入力されたものであってもよいし、予め作成条件が記憶された外部記憶装置（図示せず）から読み込まれたものであってもよい。
【０１０６】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。ここで、昇降機モデリング部４０２ｂは、作成した昇降機のＢＩＭパーツを記憶部４０６に格納して、ＢＩＭパーツデータベース（図示せず）を構築してもよい。
【０１０７】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ統合ＢＩＭモデルを作成する統合モデリング手段である。ここで、統合モデリング部４０２ｃは、作成した統合ＢＩＭモデルを記憶部４０６に格納して、統合ＢＩＭモデルデータベース（図示せず）を構築してもよい。
【０１０８】
また、画面生成部４０２ｄは、統合モデリング部４０２ｃにより作成された統合ＢＩＭモデルを含むレイアウト画面を生成する画面生成手段である。ここで、画面生成部４０２ｄは、後述の移動経路生成部４０２ｆにより生成された移動経路を更に含むレイアウト画面を生成してもよい。
【０１０９】
また、画面表示部４０２ｅは、画面生成部４０２ｄにより生成されたレイアウト画面を表示部４１４に表示させる画面表示手段である。
【０１１０】
また、移動経路生成部４０２ｆは、オブジェクト情報データベース４０６ｃに記憶されたオブジェクト情報に基づいて、統合ＢＩＭモデル内のヒトオブジェクトの移動経路を生成する移動経路生成手段である。具体的には、移動経路生成部４０２ｆは、オブジェクト情報に含まれる移動条件およびＢＩＭモデル内ネットワークデータを用いて、各ヒトオブジェクトの出発地と目的地と少なくとも含む移動条件を満たす出発地から目的地までの移動経路を生成する。ここで、移動条件は、ヒトオブジェクトの数、経由地、移動手段（例えば、階段利用、昇降機（エレベータ、乗客コンベア（エスカレータまたは動く歩道を含む）利用等）、出発時刻、経由時刻、到着時刻、移動速度、利用移動経路、および、移動パターンのうち少なくとも１つを含んでいてもよい。移動条件は、利用者により入力部４１８を介して入力されたものであってもよいし、予め移動条件が記憶された外部記憶装置（図示せず）から読み込まれたものであってもよい。
【０１１１】
また、動作解析部４０２ｇは、画面表示部４０２ｅにより表示されたレイアウト画面上で、オブジェクト情報データベース４０６ｃに記憶されたオブジェクト情報に基づいてヒトオブジェクトの移動と、昇降機のＢＩＭパーツの動作をシミュレーションする動作解析手段である。
【０１１２】
本実施形態において、動作解析部４０２ｇは、画面表示部４０２ｅにより表示されたレイアウト画面上で、昇降機のＢＩＭパーツに含まれるパーツ情報が示すＢＩＭパーツの動作パラメータに基づいて、昇降機のＢＩＭパーツの動作をシミュレーションする。ここで、動作パラメータは、昇降機の台数、定員、動作速度、動作パターン等を規定するパラメータである。
【０１１３】
また、本実施形態において、動作解析部４０２ｇは、画面表示部４０２ｅにより表示されたレイアウト画面上で、利用者に入力される移動条件に基づいて、移動経路生成部４０２ｆにより生成された移動経路上でヒトオブジェクトを移動させることにより、当該ヒトオブジェクトの移動をシミュレーションする。また、動作解析部４０２ｅは、移動経路生成部４０２ｆにより生成された移動経路を更に含む画面表示部４０２ｅにより表示されるレイアウト画面上で、統合ＢＩＭモデル内のヒトオブジェクトの密集度の変化に応じて当該レイアウト画面内の移動経路の線の表示態様を変化させることにより、当該ヒトオブジェクトの移動をシミュレーションする。ここで、動作解析部４０２ｇは、利用者に入力される移動条件に応じて、ヒトオブジェクトの出発地、目的地、移動速度、数、利用移動経路、および、移動パターンのうち少なくとも１つを変更してもよい。
【０１１４】
以上で、第３の実施形態におけるＢＩＭシステムの構成の一例の説明を終える。
【０１１５】
［第３の実施形態におけるＢＩＭシステムの処理］
次に、このように構成された第３の実施形態におけるＢＩＭシステムの処理の一例について、以下に図１３を参照して詳細に説明する。図１３は、第３の実施形態におけるＢＩＭシステムの処理の一例を示すフローチャートである。
【０１１６】
図１３に示すように、まず、作成条件設定部４０２ａは、利用者により入力される作成条件を設定する（ステップＳＣ−１）。
【０１１７】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。例えば、昇降機モデリング部４０２ｂは、上述の図４に示すようなエレベータのＢＩＭパーツを作成する。ここで、ステップＳＣ−２において、昇降機モデリング部４０２ｂは、作成条件を満たす複数の昇降機のＢＩＭパーツを作成してもよい。
【０１１８】
そして、統合モデリング部４０２ｃは、ステップＳＣ−２にて昇降機モデリング部４０２ｂの処理により作成された昇降機のＢＩＭパーツを、ＢＩＭモデルデータベース４０６ｂに記憶された建築物のＢＩＭモデルに組み込んだ統合ＢＩＭモデルを作成する（ステップＳＣ−３）。例えば、統合モデリング部４０２ｃは、上述の図５に示すようなエレベータのＢＩＭパーツを建築物のＢＩＭモデルの組み込んだ統合ＢＩＭモデルを作成する。ここで、ステップＳＣ−３において統合モデリング部４０２ｃは、複数の昇降機のＢＩＭパーツから、作成条件に合致する順位にて建築物のＢＩＭモデルに組み込んだ複数の統合ＢＩＭモデルを作成してもよい。
【０１１９】
そして、画面生成部４０２ｄは、ステップＳＣ−３にて統合モデリング部４０２ｃの処理により作成された統合ＢＩＭモデルを含むレイアウト画面を生成する（ステップＳＣ−４）。
【０１２０】
そして、画面表示部４０２ｅは、ステップＳＣ−４にて画面生成部４０２ｄの処理により生成されたレイアウト画面を表示部４１４に表示させる（ステップＳＣ−５）。例えば、画面表示部４０２ｅは、上述した図５に示すような統合ＢＩＭモデルを含むレイアウト画面を表示部４１４に表示させる。ここで、ステップＳＣ−５において、画面表示部４０２ｅは、この統合ＢＩＭモデルに組み込まれた昇降機のＢＩＭパーツのパーツ情報をレイアウト画面に含めて表示してもよい。
【０１２１】
そして、制御部４０２は、レイアウト画面上で昇降機の動作解析および／または建築物内で昇降機を利用して移動するヒトの移動解析を行うための動作解析モードを起動する所定の操作かあった否かを判定する（ステップＳＣ−６）。例えば、所定の操作は、ＢＩＭ装置４００の入力部４１８の特定キー等に対する操作である。
【０１２２】
そして、制御部４０２は、ステップＳＣ−６にて動作解析モードを起動する所定の操作があったと判定した場合（ステップＳＣ−６：Ｙｅｓ）、ステップＳＣ−７〜ＳＣ−８の処理および／またはステップＳＣ−９〜ステップＳＣ−１２の処理へ進む。一方、制御部４０２は、ステップＳＣ−６にて動作解析モードを起動する所定の操作がなかったと判定した場合（ステップＳＣ−６：Ｎｏ）、その後、本処理を終了する。
【０１２３】
ここで、制御部４０２は、ステップＳＣ−６にて動作解析モードを起動する所定の操作があったと判定した場合（ステップＳＣ−６：Ｙｅｓ）、動作パラメータを設定する（ステップＳＣ−７）。ここで、動作パラメータは、昇降機の台数、定員、動作速度、および、動作パターンのうち少なくとも１つを規定するパラメータである。ステップＳＣ−７において、制御部４０２は、動作解析モード起動後に利用者により入力される動作パラメータを設定してもよいし、動作解析モード起動する前に予め登録された動作パラメータを設定してもよい。
【０１２４】
そして、動作解析部４０２ｇは、ステップＳＣ−７にて制御部４０２の処理により設定された、昇降機のＢＩＭパーツに含まれるパーツ情報が示すＢＩＭパーツの動作パラメータに基づいて、昇降機のＢＩＭパーツの動作をシミュレーションする（ステップＳＣ−８）。例えば、動作解析部４０２ｇは、上述した図５に示すようなレイアウト画面内のエレベータのＢＩＭパーツを、動作パラメータに従って統合ＢＩＭモデル内で動作させる。
【０１２５】
また、制御部４０２は、ステップＳＣ−６にて動作解析モードを起動する所定の操作があったと判定した場合（ステップＳＣ−６：Ｙｅｓ）、移動条件を設定する（ステップＳＣ−９）。ここで、移動条件は、ヒトオブジェクトの出発地、目的地、移動速度、数、利用移動経路、および、移動パターンのうち少なくとも１つを含む。ステップＳＣ−９において、制御部４０２は、動作解析モード起動後に利用者により入力される移動条件を設定してもよいし、動作解析モード起動する前に予め登録された移動条件を設定してもよい。ここで、ステップＳＣ−９において、画面表示部４０２ｅは、移動条件を設定後、上述の図６に示すような、ヒトオブジェクトを含む統合ＢＩＭモデルのレイアウト画面を表示部４１４に表示させてもよい。
【０１２６】
そして、移動経路生成部４０２ｆは、ステップＳＣ−９にて制御部４０２の処理により設定された移動条件、および、オブジェクト情報データベース４０６ｃに記憶されたオブジェクト情報に基づいて、統合ＢＩＭモデル内のヒトオブジェクトの移動経路を生成する（ステップＳＣ−１０）。ここで、ステップＳＣ−１０において、画面表示部４０２ｅは、移動経路を生成後、上述の図７に示すようなヒトオブジェクトおよび移動経路を含む統合ＢＩＭモデルのレイアウト画面を表示部４１４に表示させてもよい。
【０１２７】
そして、動作解析部４０２ｇは、ステップＳＣ−９にて制御部４０２の処理により設定された移動条件に基づいて、ステップＳＣ−１０にて移動経路生成部４０２ｆの処理により生成された移動経路上でヒトオブジェクトを移動させることにより、当該ヒトオブジェクトの移動をシミュレーションする（ステップＳＣ−１１）。例えば、動作解析部４０２ｇは、上述の図７または図８に示すように、設定された移動条件に基づいて移動経路上でヒトオブジェクトを移動させる。
【０１２８】
そして、動作解析部４０２ｇは、ステップＳＣ−１１にてヒトオブジェクトを移動させた後、統合ＢＩＭモデル内のヒトオブジェクトの密集度の変化に応じて、上述の図９に示すように、レイアウト画面内の移動経路の線の表示態様を変化させることにより、ヒトオブジェクトの移動をシミュレーションする（ステップＳＣ−１２）。なお、本実施形態おいて、ステップＳＣ−１１の処理は、ステップＳＣ−１０の処理によりヒトオブジェクトの密集度に変化が生じると、その都度実行されてもよいし、所定時間ごとに実行されてもよい。
【０１２９】
このように、上述のステップＳＣ−７〜ＳＣ−１２において、画面表示部４０２ｅの処理により表示されたレイアウト画面上で、オブジェクト情報データベース４０６ｃに記憶されたオブジェクト情報に基づいてヒトオブジェクトの移動と、ＢＩＭパーツの動作をシミュレーションする。
【０１３０】
以上で、第３の実施形態におけるＢＩＭシステムの処理の一例の説明を終える。
【０１３１】
このように、上述した第１〜第３の実施形態によれば、利用者により入力される作成条件に対応するＢＩＭパーツをパーツ情報を用いて作成し、作成されたＢＩＭパーツをＢＩＭモデルに組み込んだ統合ＢＩＭモデルを作成し、作成された統合ＢＩＭモデルを含むレイアウト画面を生成し、生成されたレイアウト画面を表示させるので、利用者は、昇降機の設備計画を提案する際、建築物に昇降機を組み込んだ状態を視覚的に分かりやすく表示することができる。また、利用者は、昇降機を設置する建築物の設計段階から施工、竣工後、改修時等の全体を通したシミュレーションを行うことができる。これにより、利用者は、昇降機を設置する建築物の設計において、全体的な管理および確認を行えるので、客先の要望をより良く反映した提案が容易となる。その結果、本実施形態によれば、利用者は、打合せ時間を短縮でき、不具合発生率を低減でき、更に、再製作時等のコストを抑制することができる。
【０１３２】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３３】
例えば、上述の実施形態では、昇降機としてエレベータを例について説明したが、エスカレータ、動く歩道等の乗客コンベアについても同様に本発明を適用できる。
【０１３４】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１３５】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１３６】
また、端末装置１００、サーバ装置２００、および、ＢＩＭ装置４００に関して、図示の各構成要素は機能概念的なものであり、必ずしも物理的に図示の如く構成されていることを要しない。
【０１３７】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１３８】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１３９】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１４０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４１】
記憶部１０６、記憶部２０６、および、記憶部４０６に格納される各種のデータベース等（ＢＩＭモデルデータベース１０６ａ、オブジェクト情報データベース１０６ｂ、パーツ情報データベース２０６ａ、ＢＩＭモデルデータベース２０６ｂ、オブジェクト情報データベース２０６ｃ、パーツ情報データベース４０６ａ、ＢＩＭモデルデータベース４０６ｂ、および、オブジェクト情報データベース４０６ｃ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１４２】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１４３】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１４４】
以上で説明した実施形態、変形例に係るＢＩＭシステム、サーバ装置、端末装置、方法及びプログラムによれば、昇降機の設備計画を提案する際、建築物に昇降機を組み込んだ状態を視覚的に分かりやすく表示することができる。
【符号の説明】
【０１４５】
１００  端末装置
１０２  制御部
１０２ａ  作成条件送信部
１０２ｂ  統合モデリング部
１０２ｃ  画面生成部
１０２ｄ  画面表示部
１０２ｅ  移動経路生成部
１０２ｆ  動作解析部
１０４  通信制御インターフェース部
１０６  記憶部
１０６ａ  ＢＩＭモデルデータベース
１０６ｂ  オブジェクト情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  動作解析設定部
２０２ｆ  移動経路生成部
２０４  通信制御インターフェース部
２０６  記憶部
２０６ａ  パーツ情報データベース
２０６ｂ  ＢＩＭモデルデータベース
２０６ｃ  オブジェクト情報データベース
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  移動経路生成部
４０２ｇ  動作解析部
４０６  記憶部
４０６ａ  パーツ情報データベース
４０６ｂ  ＢＩＭモデルデータベース
４０６ｃ  オブジェクト情報データベース
４０８  入出力制御インターフェース部
４１４  表示部
４１６  音声出力部
４１８  入力部
【図１】
0005645315.tif 000002
【図２】
0005645315.tif 000003
【図３】
0005645315.tif 000004
【図４】
0005645315.tif 000005
【図５】
0005645315.tif 000006
【図６】
0005645315.tif 000007
【図７】
0005645315.tif 000008
【図８】
0005645315.tif 000009
【図９】
0005645315.tif 000010
【図１０】
0005645315.tif 000011
【図１１】
0005645315.tif 000012
【図１２】
0005645315.tif 000013
【図１３】
0005645315.tif 000014